(57)【特許請求の範囲】
【請求項１】
外周に凹部が形成された洗い場床と、
前記凹部に載置される壁と、
一端が前記洗い場床に固定され、他端が前記壁に当接する乾式目地と、
を備えた浴室であって、
前記乾式目地の前記一端は、前記壁が前記凹部に載置される前にあらかじめ前記洗い場床に固定されており、
前記乾式目地は、前記壁が前記凹部に載置された状態で、前記凹部の側面のうち前記洗い場床の内側に位置する第１側面と、前記壁と、の隙間を覆う傾斜部を有し、
前記傾斜部は、前記洗い場床から前記壁に向かって上方に傾斜し、
前記傾斜部の下方への変形を抑制する変形抑制手段を備え、
前記変形抑制手段は、前記傾斜部の下方において前記第１側面と前記壁との間に設けられ、
前記変形抑制手段は、前記乾式目地とは別体に形成され、
前記変形抑制手段は、前記傾斜部の少なくとも一部を下方から支持することで、前記傾斜部の下方への変形を抑制することを特徴とする浴室。
【請求項２】
前記変形抑制手段は、前記第１側面と前記壁との間に設けられたコーキング材であることを特徴とする請求項１記載の浴室。
【請求項３】
前記傾斜部の下面の少なくとも一部は、前記コーキング材と直接接着されていることを特徴とする請求項２記載の浴室。
【請求項４】
外周に凹部が形成された浴槽と、
前記凹部に載置される壁と、
一端が前記浴槽に固定され、他端が前記壁に当接する乾式目地と、
を備えた浴室であって、
前記乾式目地の前記一端は、前記壁が前記凹部に載置される前にあらかじめ前記浴槽に固定されており、
前記乾式目地は、前記壁が前記凹部に載置された状態で、前記凹部の側面のうち前記浴槽の内側に位置する第２側面と、前記壁と、の隙間を覆う傾斜部を有し、
前記傾斜部は、前記浴槽から前記壁に向かって上方に傾斜し、
前記傾斜部の下方への変形を抑制する変形抑制手段を備え、
前記変形抑制手段は、前記傾斜部の下方において前記第２側面と前記壁との間に設けられ、
前記変形抑制手段は、前記乾式目地とは別体に形成され、
前記変形抑制手段は、前記傾斜部の少なくとも一部を下方から支持することで、前記傾斜部の下方への変形を抑制することを特徴とする浴室。
【請求項５】
前記変形抑制手段は、前記第２側面と前記壁との間に設けられたコーキング材であることを特徴とする請求項４記載の浴室。
【請求項６】
前記傾斜部の下面の少なくとも一部は、前記コーキング材と直接接着されていることを特徴とする請求項５記載の浴室。
【発明の詳細な説明】
【技術分野】
【０００１】
本発明の態様は、一般的に、浴室に関する。
【背景技術】
【０００２】
例えば、特許文献１には、浴室を組み立てる際、洗い場床と壁との隙間に乾式目地を押し込んで取り付ける技術が開示されている。また、特許文献２には、浴槽と壁との隙間に乾式目地を押し込み、乾式目地の一部を壁の下端に係止させることで、乾式目地の取り付けを行う技術が開示されている。
【先行技術文献】
【特許文献】
【０００３】
【特許文献１】特開２００６−２３０７４５号公報
【特許文献２】特開２０１５−１１３６０７号公報
【発明の概要】
【発明が解決しようとする課題】
【０００４】
特許文献１および特許文献２に開示された技術では、乾式目地は、洗い場床や浴槽、壁などが組み立てられ、隙間が形成された後に取り付けられる。このため、組み立て現場で施工者によって乾式目地の取り付けが行われる。しかし、隙間の内部は視認しづらいため、乾式目地が外れやすい状態で施工されてしまったり、乾式目地の取り付け位置のずれによって漏水が発生してしまうなどの問題があった。
本発明は、かかる課題の認識に基づいてなされたものであり、乾式目地の施工ミスを抑制することができる浴室を提供することを目的とする。
【課題を解決するための手段】
【０００５】
第１の発明は、外周に凹部が形成された洗い場床と、前記凹部に載置される壁と、一端が前記洗い場床に固定され、他端が前記壁に当接する乾式目地と、を備えた浴室であって、前記乾式目地の前記一端は、前記壁が前記凹部に載置される前にあらかじめ前記洗い場床に固定されており、前記乾式目地は、前記壁が前記凹部に載置された状態で、前記凹部の側面のうち前記洗い場床の内側に位置する第１側面と、前記壁と、の隙間を覆う傾斜部を有し、前記傾斜部は、前記洗い場床から前記壁に向かって上方に傾斜し、前記傾斜部の下方への変形を抑制する変形抑制手段を備え、前記変形抑制手段は、前記傾斜部の下方において前記第１側面と前記壁との間に設けられ、前記変形抑制手段は、前記乾式目地とは別体に形成され、前記変形抑制手段は、前記傾斜部の少なくとも一部を下方から支持することで、前記傾斜部の下方への変形を抑制することを特徴とする浴室である。
【０００６】
この浴室によれば、乾式目地の一端が洗い場床に固定されるため、凹部に壁を載置する前に乾式目地を洗い場床に固定することが可能となる。したがって、施工前にあらかじめ洗い場床に乾式目地を取り付けておくことが可能となる。洗い場床に対して、例えばその製造現場で乾式目地を取り付けておくことで、施工現場で施工者が乾式目地を取り付ける必要がなくなるため、乾式目地が外れやすい状態で施工されてしまったり、乾式目地の取り付け位置のずれによって漏水が発生してしまうなどの施工ミスを抑制することができる。
また、この浴室によれば、第１側面と壁の隙間への水の流入を抑制することができるとともに、壁から洗い場床に向けての排水性を高め、乾式目地の上面におけるカビの発生を抑制することができる。さらに、変形抑制手段により、乾式目地に窪みが形成される可能性を低減し、乾式目地が変形することによる排水性の低下を抑制することが可能となる。
さらに、この浴室によれば、傾斜部の下方への変形および乾式目地における排水性の低下をより一層抑制することが可能となる。さらに、変形抑制手段が浴室の使用者の視界に入り難く、浴室の美観の低下を抑制することが可能である。
【０００９】
第２の発明は、第１の発明において、前記変形抑制手段は、前記第１側面と前記壁との間に設けられたコーキング材であることを特徴とする浴室である。
【００１０】
この浴室によれば、コーキング材によって乾式目地の変形を抑制するため、第１側面と壁との隙間への水の流入をより一層抑制し、止水性を向上させつつ、乾式目地が変形することによる排水性の低下を抑制することが可能である。
【００１１】
第３の発明は、第２の発明において、前記傾斜部の下面の少なくとも一部は、前記コーキング材と直接接着されていることを特徴とする浴室である。
【００１２】
この浴室によれば、傾斜部とコーキング材との間に隙間が形成される可能性を低減し、より確実に乾式目地の変形を抑制することができる。また、当該隙間への水の流入によるカビの発生を抑制することが可能となる。
【００１３】
第４の発明は、外周に凹部が形成された浴槽と、前記凹部に載置される壁と、一端が前記浴槽に固定され、他端が前記壁に当接する乾式目地と、を備えた浴室であって、前記乾式目地の前記一端は、前記壁が前記凹部に載置される前にあらかじめ前記浴槽に固定されており、前記乾式目地は、前記壁が前記凹部に載置された状態で、前記凹部の側面のうち前記浴槽の内側に位置する第２側面と、前記壁と、の隙間を覆う傾斜部を有し、前記傾斜部は、前記浴槽から前記壁に向かって上方に傾斜し、前記傾斜部の下方への変形を抑制する変形抑制手段を備え、前記変形抑制手段は、前記傾斜部の下方において前記第２側面と前記壁との間に設けられ、前記変形抑制手段は、前記乾式目地とは別体に形成され、前記変形抑制手段は、前記傾斜部の少なくとも一部を下方から支持することで、前記傾斜部の下方への変形を抑制することを特徴とする浴室である。
【００１４】
この浴室によれば、乾式目地の一端が浴槽に固定されるため、凹部に壁を載置する前に乾式目地を浴槽に固定することが可能となる。したがって、施工前にあらかじめ浴槽に乾式目地を取り付けておくことが可能となる。浴槽に対して、例えばその製造現場で乾式目地を取り付けておくことで、施工現場で施工者が乾式目地を取り付ける必要がなくなるため、乾式目地が外れやすい状態で施工されてしまったり、乾式目地の取り付け位置のずれによって漏水が発生してしまうなどの施工ミスを抑制することができる。
また、この浴室によれば、第２側面と壁の隙間への水の流入を抑制することができるとともに、壁から浴槽に向けての排水性を高め、乾式目地の上面におけるカビの発生を抑制することができる。さらに、変形抑制手段により、乾式目地に窪みが形成される可能性を低減し、乾式目地が変形することによる排水性の低下を抑制することが可能となる。
さらに、この浴室によれば、傾斜部の下方への変形および乾式目地における排水性の低下をより一層抑制することが可能となる。さらに、変形抑制手段が浴室の使用者の視界に入り難く、浴室の美観の低下を抑制することが可能である。
【００１７】
第５の発明は、第４の発明において、前記変形抑制手段は、前記第２側面と前記壁との間に設けられたコーキング材であることを特徴とする浴室である。
【００１８】
この浴室によれば、コーキング材によって乾式目地の変形を抑制するため、第２側面と壁との隙間への水の流入をより一層抑制し、止水性を向上させつつ、乾式目地が変形することによる排水性の低下を抑制することが可能である。
【００１９】
第６の発明は、第５の発明において、前記傾斜部の下面の少なくとも一部は、前記コーキング材と直接接着されていることを特徴とする浴室である。
【００２０】
この浴室によれば、傾斜部とコーキング材との間に隙間が形成される可能性を低減し、より確実に乾式目地の変形を抑制することができる。また、当該隙間への水の流入によるカビの発生を抑制することが可能となる。
【発明の効果】
【００２１】
本発明の態様によれば、乾式目地の施工ミスを抑制することができる浴室が提供される。
【図面の簡単な説明】
【００２２】
【図１】実施形態に係る浴室を表す斜視図である。
【図２】実施形態における壁面接続部材と壁パネルとの嵌合構造を表した断面図である。
【図３】実施形態における壁の取り付け構造を表す斜視図である。
【図４】実施形態に係る洗い場床の構成を説明する分解斜視図である。
【図５】実施形態に係る洗い場床の一部および壁の一部を拡大した斜視断面図である。
【図６】図５の部分Ｂを拡大した斜視断面図である。
【図７】図６に表した洗い場床の一部および壁の一部を拡大した断面図である。
【図８】図７に表した洗い場床の一部および壁の一部を拡大した断面図である。
【図９】壁パネルが設置される前の状態の、洗い場床の凹部近傍を拡大した平面図である。
【図１０】図９のＡ−Ａ’線における断面図である。
【図１１】実施形態に係る浴室の乾式目地の施工方法を表す断面図である。
【図１２】実施形態に係る浴室の乾式目地の施工方法を表す断面図である。
【図１３】実施形態に係る浴室の乾式目地の施工方法を表す断面図である。
【図１４】実施形態に係る浴室の乾式目地の施工方法を表す断面図である。
【図１５】実施形態に係る浴室の乾式目地の施工方法を表す断面図である。
【図１６】実施形態に係る浴槽の一部および壁の一部を拡大した断面図である。
【図１７】図１６に表した浴槽の一部および壁の一部を拡大した断面図である。
【図１８】壁パネルが設置される前の状態の凹部近傍を拡大した平面図である。
【図１９】図１８のＣ−Ｃ’線における断面図である。
【図２０】実施形態の変形例に係る洗い場床の一部および壁の一部を拡大した断面図である。
【図２１】実施形態の変形例に係る浴槽の一部および壁の一部を拡大した断面図である。
【発明を実施するための形態】
【００２３】
以下、本発明の実施形態について図面を参照しつつ説明する。なお、各図面中、同様の構成要素には同一の符号を付して詳細な説明は適宜省略する。  
【００２４】
図１は、実施形態に係る浴室を表す斜視図である。
図１に表したように、浴室１００は、浴槽１と、洗い場床２と、壁３と、を備えている。浴槽１の底部裏面の四隅近傍には、支持脚６が設けられ、その支持脚６を介して、浴槽１は浴室設置面（例えば、建物の床）Ｓの上に設置される。支持脚６は、ボルト部を回転させることで高さを調節可能に構成されている。
【００２５】
洗い場床２は、周縁部が上側に折り曲げられた浅底の器状（パン状）に形成され、浴室外部に湯水を漏出させない防水性を有する。洗い場床２は、支持脚２３１を介して浴室設置面Ｓ上に設置されている。支持脚２３１は、支持脚６と同様に、ボルト部を回転させることで高さを調節可能に構成されている。
【００２６】
洗い場床２において、浴槽１との境界部近傍には、排水管５に連通する排水口が形成されている。なお、図１では、この排水口は、着脱自在の蓋７で塞がれている。排水口が設けられた部分はくぼんでおり、洗い場床２の表面には、排水口に向けて下向きに傾斜した勾配が付けられている。洗い場床２の裏側において、浴槽１との境界部近傍には排水管５が設けられ、排水口は排水管５に接続されている。また、浴槽１の底部に設けられた図示しない排水口も、排水管５に接続されている。
【００２７】
壁３は、浴室ユニットの４面を構成している。壁３は、壁面材である壁パネル３１〜３７によって構成されている。洗い場床２の外周部２ａには、洗い場床２の上面と直交する方向に沿って壁面接続部材５０が設けられている。壁面接続部材５０は隣接する壁パネルの間に設けられ、隣接する壁パネル同士は壁面接続部材５０によって連接されている。
【００２８】
壁パネル３１は、洗い場床２の浴槽１とは反対側に配置されており、２枚の壁パネルが図示しない壁面接続部材５０によって連接されて形成されている。壁パネル３２及び壁パネル３３は、壁パネル３１と直交し、互いに対向して配置されている。壁パネル３４〜３６は、浴槽１の縁のうち、洗い場床２側を除く３辺の縁の上に配置されている。壁パネル３４及び壁パネル３５の下側には、浴槽１と壁パネル３２及び壁パネル３３との間をつなぐ壁パネル３７が設けられている。図１に表した浴室ユニットでは、壁パネル３３には図示しないドア取付枠を介してドアＤＲが設けられている。
【００２９】
なお、本発明における壁面材の構成は、上記壁パネル３１〜３７には限定されない。例えば、壁パネル３１がより多くのパネルから構成されていても良いし、その他の壁パネル３２〜３７が複数のパネルから構成されていても良い。また、壁パネル３１が１枚のパネルから構成されていても良い。
【００３０】
浴槽１と洗い場床２との境界には、浴槽１における洗い場床２側の側面を覆い隠すバスエプロン９が設けられている。バスエプロン９は、後述する床面材２１を押圧するように設けられている。
【００３１】
図２は、実施形態における壁面接続部材と壁パネルとの嵌合構造を表した断面図である。
図２では、壁パネルの面内方向と直交する方向に沿った断面を表している。
図２（ａ）は、同一平面で隣接する２つの壁パネルと、これらの間に設けられた壁面接続部材との嵌合構造を例示している。
図２（ｂ）は、隅部で互いに直交する２つの壁パネルと、これらの間に設けられた壁面接続部材との嵌合構造を例示している。
以下の説明では、図２（ａ）に例示した壁面接続部材５０Ａおよび図２（ｂ）に例示した壁面接続部材５０Ｂをまとめて壁面接続部材５０と称する。
【００３２】
図２に表したように、壁パネル３１は、第１壁パネル３１−１と、第２壁パネル３１−２と、から構成されている。それぞれの壁パネルは、母材と、母材に対して浴室の内側に設けられた鋼板と、を有する。母材は、石膏ボードなどで形成されており、鋼板は、補強のために母材の浴室内側の表面に貼り付けられている。例えば、第１壁パネル３１−１は、母材３１０−１と、鋼板３１１−１と、を有する。第２壁パネル３１−２は、母材３１０−２と、鋼板３１１−２と、を有する。
【００３３】
壁面接続部材５０は、薄板を折り曲げた中空構造を有する。壁面接続部材５０の左右の折り返し部分５０１は、弾性を有している。
【００３４】
図２（ａ）では、壁パネル３１を構成する２つの壁パネル３１−１および３１−２の取り付け状態を表している。２つの壁パネル３１−１及び３１−２の鋼板３１１の左右の側面部には、それぞれ弾性を有した裏側への折り返し部分５０２−１及び５０２−２が設けられている。
【００３５】
２つの壁パネル３１−１及び３１−２を壁面接続部材５０Ａに取り付けるには、折り返し部分５０２−１及び５０２−２を壁面接続部材５０Ａの左右の折り返し部分５０１の間に嵌め込む。折り返し部分５０２−１及び５０２−２は、左右の折り返し部分５０１の間を押し広げるようにして嵌め込まれることで、互いの方向に付勢される。折り返し部分５０２−１及び５０２−２が嵌め込まれると、２つの壁パネル３１−１及び３１−２が壁面接続部材５０Ａを間にして同一面状に固定される。
【００３６】
図２（ｂ）では、壁パネル３１を構成する壁パネル３１−２と、壁パネル３２と、の取り付け状態を表している。壁パネル３１−２の鋼板３１１−２には、折り返し部分５０２−１が設けられ、壁パネル３２の鋼板３２１には、折り返し部分５０２−２が設けられている。折り返し部分５０２−１及び５０２−２は、それぞれ弾性を有する。
【００３７】
折り返し部分５０２−１及び５０２−２は、左右の折り返し部分５０１の間を押し広げるようにして嵌め込まれる。折り返し部分５０２−１及び５０２−２が嵌め込まれると、２つの壁パネル３１−２及び３２は壁面接続部材５０Ａを間にして直交する状態に固定される。
【００３８】
このように、壁面接続部材５０の折り返し部分５０１と各壁パネルの折り返し部分５０２は、壁３に直交する面に沿って弾性を有するため、互いの設置位置が固定される。一方で、壁３の表面に沿った方向では、壁面接続部材５０による位置の規制が無い。このため、それぞれの壁パネルは壁面接続部材５０に嵌め込まれると、自重により下方に落下して、その下端（後述する先端部３１１ａ）が床面材２１に当接する。
【００３９】
図３は、実施形態における壁の取り付け構造を表す斜視図である。
図３に表したように、洗い場床２の上面と直交する方向に延びる複数の壁面接続部材５０が、洗い場床２の外周部２ａに取り付けられる。壁面接続部材５０は、予め取り付けてあった壁面固定部材５１にボルトやビス等の締結手段で固定される。このとき、壁面接続部材５０の下端によって床面材２１の外周部２ａを下方に押圧するように、壁面接続部材５０を固定してもよい。それぞれの壁面接続部材５０に壁パネルを嵌合することで、壁パネル３１〜３５が固定される。壁パネル３７は、浴槽１と壁面接続部材５０との間に固定される。また、壁パネル３６は、壁パネル３４の一端と壁パネル３５一端との間に固定される。
【００４０】
図４は、実施形態に係る洗い場床の構成を説明する分解斜視図である。
図４に表したように、洗い場床２は、床基材２０と、床基材２０の上に配された表皮材２３と、を有する。床基材２０は、下から順に、支持材２２、床面材２１、およびクッション材２０１を有する。
【００４１】
支持材２２は、４隅に設けられる４本の支持脚２３１を有する。支持脚２３１は、ボルト部を回転させることで高さが調節可能に構成されている。支持材２２には、強度が比較的高く、剛性のある平板状の素材が用いられる。このような素材として、例えば、サンドイッチパネルが挙げられる。サンドイッチパネルは、例えば、プラスチックの板材を２枚の鋼板で挟んだ構造であり、軽量かつ剛性が高く、ネジなどの締結部材も使用できる。支持材２２には、作業者が床下にもぐることができるように作業口が設けられている。施工後、この作業口には蓋２２１が被せられる。
【００４２】
床面材２１には、後述するように、排水口となる凹形状部や洗い場床２の上面の勾配を形成するための傾斜面が付与されている。床面材２１は、例えば熱可塑性樹脂によって形成されている。床面材２１は、繊維強化プラスチック（ＦＲＰ）によって形成されていてもよい。熱可塑性樹脂としては、例えば発泡ポリプロピレン、発泡ポリスチレン、発泡ポリエチレン、発泡ポリウレタンなどが用いられる。
【００４３】
床面材２１の上には、クッション材２０１が設けられている。クッション材２０１には、例えば発泡ポリウレタン等の軟質素材が用いられる。クッション材２０１の硬さ（柔らかさ）を変えることで、表皮材２３を踏んだ際に感じる床面の硬さ（柔らかさ）を変化させることができる。
【００４４】
表皮材２３は、洗い場床２の最表面に配されており、防水性および可撓性を有する軟質シート材が用いられる。表皮材２０２には、洗い場床２の表面の意匠性や水はけ性を向上させるために、凹凸加工や柄模様を施したりすることも可能である。
【００４５】
床面材２１の外周には、凹部が形成されており、壁３は、この凹部の上に設置される。この点について、図５〜図８を用いてより具体的に説明する。
図５は、実施形態に係る洗い場床の一部および壁の一部を拡大した斜視断面図である。
図６は、図５の部分Ｂを拡大した斜視断面図である。
図７は、図６に表した洗い場床の一部および壁の一部を拡大した断面図である。
図８は、図７に表した洗い場床の一部および壁の一部を拡大した断面図である。
なお、図５〜図７では、支持材２２が省略されている。
【００４６】
図５〜図７に表したように、鋼板３１１は、床面材２１に向けて延在するとともに、先端部３１１ａが、洗い場床２の外側に向けて屈曲している。床面材２１の外周には凹部２１Ｒが形成され、この凹部の内側にはガイドピース２７が取り付けられている。ガイドピース２７の上には、パッキンＰＫ１を介して先端部３１１ａが載置されている。床面材２１は、壁３の自重により、下方に押圧される。また、先端部３１１ａの先端はガイドピース２７により固定されている。こうすることで、洗い場床２と壁３との相対的な位置関係のずれを抑制している。
【００４７】
凹部２１Ｒの側面のうち、洗い場床２の内側に位置する側面Ｓ１と、壁３（壁パネル３１）と、の隙間には、変形抑制手段としてのコーキング材ＣＫ１が設けられている。乾式目地２５は、一端側の第１端部２５１と、他端側の第２端部２５２と、を有する。第１端部２５１は、表皮材２３の下面または床面材２１の上面に固定されており、表皮材２３と床面材２１との間に位置している。第２端部２５２は、壁パネル３１に当接している。
【００４８】
図８に表したように、乾式目地２５は、コーキング材ＣＫ１を被覆する傾斜部２５ａを有する。傾斜部２５ａは、例えば、一端が第１側面Ｓ１と直交する方向に沿い、他端が壁３の表面に沿うように、変形している。このため、傾斜部２５ａの上面は、洗い場床２から壁３に向かって上方に傾斜している。
【００４９】
傾斜部２５ａの下面の少なくとも一部は、コーキング材ＣＫ１に接触している。傾斜部２５ａの下面の少なくとも一部は、コーキング材ＣＫ１に接着されていてもよい。このとき、傾斜部２５ａは、例えば、コーキング材ＣＫ１と、接着剤や両面テープ等を介さずに直接接着される。傾斜部２５ａの下面がコーキング材ＣＫ１と接触していることで、傾斜部２５ａが、下方からコーキング材ＣＫ１により支持される。これにより、傾斜部２５ａの下方への変形が抑制される。
【００５０】
乾式目地２５のうち少なくとも傾斜部２５ａは弾性を有し、かつ、軟質および薄肉状の少なくともどちらかである。乾式目地２５全体が弾性を有し、かつ、軟質および薄肉状の少なくともどちらかであってもよい。
【００５１】
コーキング材ＣＫ１には、例えばシリコーンが用いられる。
乾式目地２５には、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、またはナイロンなどのポリアミド系樹脂、フッ素樹脂、などを用いることができる。これらの材料を用いることで、乾式目地２５に弾性および軟性を付与することができる。
【００５２】
図９は、壁パネルが設置される前の状態の、洗い場床の凹部近傍を拡大した平面図である。
図１０は、図９のＡ−Ａ’線における断面図である。
なお、図９および図１０では、その後に載置される壁パネル３１を破線で表している。
【００５３】
図９および図１０に表したように、壁パネル３１が設置されていない状態では、乾式目地２５は、水平方向に延び、洗い場床２の外側に向かって突出している。このとき、凹部２１Ｒ上に突出している部分の長さＬ１は、壁パネルが設置された状態における側面Ｓ１と鋼板３１１との間の距離Ｄ１よりも長い。このため、壁パネル３１が設置された状態では、乾式目地２５の第２端部２５２が鋼板３１１に当接して撓むことで、乾式目地２５の上面が鋼板３１１から表皮材２３に向けて下方に傾斜するとともに、傾斜部２５ａが現れる。
【００５４】
ここで、図１１〜図１５を用いて、実施形態に係る浴室の乾式目地の施工方法を説明する。
図１１〜図１５は、実施形態に係る浴室の乾式目地の施工方法を表す断面図である。
まず、図１１（ａ）に表したように、表皮材２３の下面の端に乾式目地２５の第１端部２５１を固定する。乾式目地２５は、例えば、両面テープＴにより表皮材２３の下面に固定される。あるいは、接着剤や熱による溶着、ステープルなどで固定されてもよい。
【００５５】
次に、図１１（ｂ）に表したように、凹部２１Ｒ内にガイドピース２７が設けられた床面材２１の表面に、表皮材２３を貼り合わせる。このとき、乾式目地２５のうち、表皮材２３に固定された部分が、表皮材２３と床面材２１との間に挟まれるように、表皮材２３を床面材２１に張り合わせる。
【００５６】
床面材２１の上に表皮材２３が配された状態を、図１２（ａ）に表す。図１２（ａ）に表したように、乾式目地２５は、凹部２１Ｒの一部を覆うように、表皮材２３の外側に向けて延びている。
【００５７】
次に、図１２（ｂ）および図１３（ａ）に表したように、乾式目地２５の第２端部２５２を、上方に変形させ、表皮材２３に一時的に固定する。表皮材２３への固定には、例えばマスキングテープＭが用いられる。
【００５８】
次に、図１３（ｂ）および図１４（ａ）に表したように、床面材２１および表皮材２３の上方から凹部２１Ｒへ、壁パネル３１を下方に移動させ、床面材２１の上に載置する。このとき、乾式目地２５の第２端部２５２は表皮材２３に固定されているため、壁パネル３１と乾式目地２５との接触を避けることができる。
【００５９】
次に、図１４（ｂ）および図１５（ａ）に表したように、側面Ｓ１と鋼板３１１との間にコーキング材ＣＫ１を充填させる。
【００６０】
最後に、図１５（ｂ）に表したように、乾式目地２５の第２端部２５２の変形を解除する。このとき、乾式目地２５が弾性を有するため、乾式目地２５の第２端部２５２の変形を解除することで、図１１（ａ）に表した元の形状に戻る。その際、コーキング材ＣＫ１が乾式目地２５に覆われるとともに、乾式目地２５の先端が鋼板３１１に当接する。既に述べた通り、乾式目地２５の突出部分の長さＬ１は、距離Ｄ１よりも長いため、乾式目地２５は撓んだ状態で鋼板３１１に当接し、乾式目地２５の上面が、表皮材２３から鋼板３１１に向かって上方に傾斜する。
【００６１】
このとき、乾式目地２５に傾斜部２５ａが形成される。また、図１４（ｂ）に表した工程において、コーキング材ＣＫ１の上端が、表皮材２３の上面よりも上側に位置するように、充填することで、乾式目地２５の変形を解除した際に、傾斜部２５ａの下面をコーキング材ＣＫ１に接触させることができる。この状態でコーキング材ＣＫ１を硬化させることで、接着剤や両面テープなどを用いずに、傾斜部２５ａの下面とコーキング材ＣＫ１とを直接接着させることができる。
【００６２】
上述した説明では、壁パネル３１を例に説明したが、他の壁パネル３２、３３、および３７も同様にして洗い場床２の上に設置される。
【００６３】
次に、図１６および図１７を用いて、浴槽１の外周における構造を具体的に説明する。
図１６は、実施形態に係る浴槽の一部および壁の一部を拡大した断面図である。
図１７は、図１６に表した浴槽の一部および壁の一部を拡大した断面図である。
図１６に表したように、壁パネル３６は、母材３６０および裏板３６１を有する。浴槽１の外周には凹部１Ｒが形成されており、母材３６０の下端は、凹部１Ｒの底面にパッキンＰＫ２を介して載置される。
【００６４】
母材３６０は、凹部１Ｒの側面のうち、浴槽１の内側方向に位置する側面Ｓ２と対向している。側面Ｓ２鋼板３１１との隙間には、目地部材が設けられる。目地部材は、コーキング材ＣＫ２と、乾式目地２６と、を含む。コーキング材ＣＫ２は、側面Ｓ２と母材３６０との隙間に充填されている。乾式目地２６は、一端側の第１端部２６１と、他端側の第２端部２６２と、を有する。第１端部２６１は側面Ｓ２に固定されている。第２端部２６２は、コーキング材ＣＫ２を覆うとともに、その下面がコーキング材ＣＫ２に接している。
【００６５】
図１７に表したように、乾式目地２６は、コーキング材ＣＫ２を被覆する傾斜部２６ａを有する。傾斜部２６ａは、浴槽１側の第１端部２６１と、壁３（壁パネル３６）側の第２端部２６２と、を含む。傾斜部２６ａは、例えば、第１端部２６１が側面Ｓ２の直交方向に沿い、第２端部２６２が壁３の表面方向に沿うように、湾曲している。さらに、乾式目地２６の第２端部２６２が壁３に当接することで、傾斜部２６ａの上面は、浴槽１から壁３に向かって上方に傾斜している。
【００６６】
傾斜部２６ａの下面の少なくとも一部は、コーキング材ＣＫ２に接触している。傾斜部２６ａの下面の少なくとも一部は、コーキング材ＣＫ２に接着されていてもよい。このとき、傾斜部２６ａは、例えば、コーキング材ＣＫ２と、接着剤や両面テープ等を介さずに直接接着される。傾斜部２６ａの下面がコーキング材ＣＫ２と接触していることで、傾斜部２６ａが下方からコーキング材ＣＫ１により支持される。これにより、傾斜部２６ａの下方への変形が抑制される。
【００６７】
乾式目地２６のうち少なくとも傾斜部２６ａは弾性を有し、かつ、軟質および薄肉状の少なくともどちらかである。乾式目地２６全体が弾性を有し、かつ、軟質および薄肉状の少なくともどちらかであってもよい。乾式目地２６には、乾式目地２５と同様の材料を用いることができる。また、コーキング材ＣＫ２には、コーキング材ＣＫ１と同様の材料を用いることができる。
【００６８】
図１８は、壁パネルが設置される前の状態の凹部近傍を拡大した平面図である。
図１９は、図１８のＣ−Ｃ’線における断面図である。
なお、図１８および図１９では、その後に載置される壁パネル３６を破線で表している。
【００６９】
図１８および図１９に表したように、壁パネル３６が設置されていない状態では、乾式目地２６は、水平方向に延び、浴室の外側に向かって突出している。このとき、凹部１Ｒ上に突出している部分の長さＬ２は、壁パネルが設置された状態における側面Ｓ２と壁パネル３６との間の距離Ｄ２よりも長い。このため、壁パネルが設置された状態では、乾式目地２６の第２端部２６２が母材３６０に当接して撓むことで、乾式目地２６の上面が母材３６０から浴槽１に向けて下方に傾斜する。
【００７０】
浴槽１への乾式目地２６の取り付けおよび壁パネル３６の設置については、洗い場床２への乾式目地２５の取り付けおよび壁パネル３１の設置と同様にして行われる。
【００７１】
すなわち、まず、乾式目地２６の第１端部２６１が凹部１Ｒの側面Ｓ１に固定される。乾式目地２６は、例えば、両面テープや接着剤などによって固定される。あるいは、熱による溶着や、ステープルなどで固定されてもよい。
【００７２】
次に、乾式目地２６の第２端部２６２を、上方に変形させ、例えばマスキングテープによって浴槽１に一時的に固定する。続いて浴槽１の上方から凹部１Ｒに向けて壁パネル３６を移動させて載置する。このとき、乾式目地２６の第２端部２６２は浴槽１の内側に向けて変形され、固定されているため、壁パネル３６と乾式目地２６との接触を避けることができる。
【００７３】
次に、側面Ｓ２と壁パネル３６との間にコーキング材ＣＫ２を充填させる。このとき、コーキング材ＣＫ２は、例えば上端が、浴槽１の上端よりも上側に位置するように、充填される。その後、乾式目地２６の第２端部２６２の固定を解除すると、コーキング材ＣＫ２が乾式目地２６で覆われるとともに、乾式目地２６の先端が壁パネル３６に当接する。既に述べた通り、乾式目地２６の長さＬ２は、距離Ｄ２よりも長いため、乾式目地２６は撓んだ状態で壁パネル３６に当接し、乾式目地２６の上面に傾斜が形成される。
【００７４】
上述した説明では、壁パネル３６を例に説明したが、他の壁パネル３４および３５も同様にして洗い場床２の上に設置される。
【００７５】
（変形例）
次に、図２０および図２１を用いて、実施形態の変形例について説明する。
図２０は、実施形態の変形例に係る洗い場床の一部および壁の一部を拡大した断面図である。
図２１は、実施形態の変形例に係る浴槽の一部および壁の一部を拡大した断面図である。
【００７６】
図２０に表したように、側面Ｓ１と壁３（壁パネル３１）との間にコーキング材ＣＫ１が設けられていなくてもよい。この場合、第２端部２５２は、壁３に当接するとともに、接着剤２８によって壁３に固定される。乾式目地２５の第１端部２５１が洗い場床２に固定され、第２端部２５２が壁３に固定されることで、傾斜部２５ａの下方への変形が抑制される。すなわち、本変形例においては、接着剤２８が変形抑制手段として機能する。
【００７７】
乾式目地２５の第２端部２５２は、接着剤２８以外の手段によって壁３に固定されていてもよい。すなわち、変形抑制手段は、接着剤２８に限られない。例えば、乾式目地２５の第２端部２５２は、接着剤２８に代えて、両面テープや熱による溶着、ステープルなどで、壁３に固定されていてもよい。
【００７８】
同様に、図２１に表したように、側面Ｓ２と壁３（壁パネル３６）との間にコーキング材ＣＫ２が設けられていなくてもよい。この場合、第２端部２６２は、壁３に当接するとともに、変形抑制手段としての接着剤２９によって壁３に固定される。乾式目地２６の第１端部２６１が浴槽１に固定され、第２端部２６２が壁３に固定されることで、傾斜部２６ａの下方への変形が抑制される。乾式目地２６の第２端部２６２は、乾式目地２５と同様に例えば、接着剤２９に代えて、両面テープや熱による溶着、ステープルなどで、壁３に固定されていてもよい。
【００７９】
なお、上述した実施形態では、洗い場床２が、支持材２２、床面材２１、クッション材２０１、および表皮材２３から構成されている場合について説明したが、本実施形態は、このような構成以外の洗い場床に対しても適用可能である。例えば、洗い場床は、支持材２２および床面材２１の２つから構成されていても良い。この場合、乾式目地２５は、床面材２１の外周に固定される。
【００８０】
以上で説明した実施形態によれば、乾式目地２５は、第１端部２５１のみが洗い場床２に固定され、第２端部２５２は壁３に当接している。このため、凹部２１Ｒに壁３を載置する前に、乾式目地２５を洗い場床２に固定することが可能となる。したがって、施工前にあらかじめ洗い場床２に乾式目地２５を取り付けておくことが可能となる。洗い場床２に対して、例えばその製造現場で乾式目地２５を取り付けておくことで、施工現場で施工者が乾式目地２５を取り付ける必要がなくなるため、乾式目地２５が外れやすい状態で施工されてしまったり、乾式目地２５の取り付け位置のずれによって漏水が発生してしまうなどの施工ミスを抑制することができる。
【００８１】
また、乾式目地２５が、第１側面Ｓ１と壁３との隙間を覆う傾斜部２５ａを有するため、隙間への水の流入を抑制することができる。また、傾斜部２５ａが、洗い場床２から壁３に向かって上方に傾斜しているため、壁３から洗い場床２に向けての排水性を高め、乾式目地２５の上面におけるカビの発生を抑制することができる。さらに、変形抑制手段（コーキング材ＣＫ１または接着剤２８）を有するため、乾式目地２５に対して下方に向けて外力が加えられた場合でも、乾式目地２５の変形を抑制し、乾式目地２５における排水性の低下を抑制することが可能となる。
【００８２】
このとき、変形抑制手段（コーキング材ＣＫ１）が、傾斜部２５ａの下方において、第１側面Ｓ１と壁３との間に設けられ、傾斜部２５ａを下方から支持することで、より一層、傾斜部２５ａの下方への変形および乾式目地２５における排水性の低下を抑制することが可能となる。さらに、変形抑制手段が傾斜部２５ａの下方に設けられることで、変形抑制手段が浴室１００の使用者の視界に入り難く、浴室１００の美観の低下を抑制することが可能である。
【００８３】
また、変形抑制手段がコーキング材ＣＫ１であることで、乾式目地２５とコーキング材ＣＫ１の２つで第１側面Ｓ１と壁３との隙間への水の流入をより一層抑制し、止水性を向上させつつ、乾式目地が変形することによる排水性の低下を抑制することができる。
【００８４】
ここで、傾斜部２５ａの下面の少なくとも一部が、接着剤や両面テープなどを介さずに、コーキング材ＣＫ１と直接接着されることで、傾斜部２５ａとコーキング材ＣＫ１との間に隙間が形成される可能性を低減し、より確実に乾式目地の変形を抑制することができる。また、当該隙間への水の流入によるカビの発生を抑制することが可能となる。
【００８５】
また、図７に表したような屈曲部分を有する乾式目地２５を固定する場合、図１１（ａ）に表したように、表皮材２３と床面材２１とを貼り合わせる前に、乾式目地２５の第１端部２５１を表皮材２３の底面に固定することが望ましい。こうすることで、乾式目地２５の屈曲部分を表皮材２３の側面２３Ｓに当接させた状態で、第１端部２５１を表皮材２３と床面材２１との間に固定することができる。このため、第１端部２５１をより強固に固定するとともに、乾式目地２５と表皮材２３の側面２３Ｓとの間に隙間が生じることを抑制できる。
【００８６】
また、乾式目地２５が弾性を有する場合、図１０に表したように、乾式目地２５の第２端部２５２が、壁３の表面と交差する方向に延びていることで、第２端部２５２を壁３に当接させた際に、乾式目地２５が壁３をより強く押圧する。乾式目地２５が壁３をより強く押圧した状態で当接することで、乾式目地２５と壁３との間に隙間を生じ難くし、乾式目地２５による止水性を向上させることができる。
【００８７】
浴槽１についても同様に、乾式目地２６は、第１端部２６１のみが浴槽１に固定され、第２端部２６２は壁３に当接している。このため、凹部１Ｒに壁３を載置する前に、乾式目地２６を浴槽１に固定することが可能となる。したがって、施工前にあらかじめ浴槽１に乾式目地２６を取り付けておくことが可能となる。浴槽１に対して、例えばその製造現場で乾式目地２６を取り付けておくことで、施工現場で施工者が乾式目地２６を取り付ける必要がなくなるため、乾式目地２６が外れやすい状態で施工されてしまったり、乾式目地２６の取り付け位置のずれによって漏水が発生してしまうなどの施工ミスを抑制することができる。
【００８８】
また、乾式目地２６が、第２側面Ｓ２と壁３との隙間を覆う傾斜部２６ａを有するため、隙間への水の流入を抑制することができる。また、傾斜部２６ａが、浴槽１から壁３に向かって上方に傾斜しているため、壁３から浴槽１に向けての排水性を高め、乾式目地２６の上面におけるカビの発生を抑制することができる。さらに、傾斜部２６ａの下方への変形を抑制する変形抑制手段（コーキング材ＣＫ２または接着剤２９）を有するため、乾式目地２６に対して下方に向けて外力が加えられた場合でも、乾式目地２６に窪みが形成される可能性を低減し、乾式目地２６における排水性の低下を抑制することが可能となる。
【００８９】
このとき、変形抑制手段（コーキング材ＣＫ２）が、傾斜部２６ａの下方において、第２側面Ｓ２と壁３との間に設けられ、傾斜部２６ａを下方から支持することで、より一層、傾斜部２６ａの下方への変形および乾式目地２６における排水性の低下を抑制することが可能となる。さらに、変形抑制手段が傾斜部２６ａの下方に設けられることで、変形抑制手段が浴室１００の使用者の視界に入り難く、浴室１００の美観の低下を抑制することが可能である。
【００９０】
また、変形抑制手段がコーキング材ＣＫ２であることで、乾式目地２６とコーキング材ＣＫ２の２つで第２側面Ｓ２と壁３との隙間への水の流入をより一層抑制し、止水性を向上させつつ、乾式目地が変形することによる排水性の低下を抑制することができる。
【００９１】
ここで、傾斜部２６ａの下面の少なくとも一部が、接着剤や両面テープなどを介さずに、コーキング材ＣＫ２と直接接着されることで、傾斜部２６ａとコーキング材ＣＫ２との間に隙間が形成される可能性を低減し、より確実に乾式目地の変形を抑制することができる。また、当該隙間への水の流入によるカビの発生を抑制することが可能となる。
【００９２】
また、乾式目地２６が弾性を有する場合、図１９に表したように、乾式目地２６の第２端部２６２が、壁３の表面と交差する方向に延びていることで、第２端部２６２を壁３に当接させた際に、乾式目地２６が壁３をより強く押圧する。乾式目地２６が壁３をより強く押圧した状態で当接することで、乾式目地２６と壁３との間に隙間を生じ難くし、乾式目地２６による止水性を向上させることができる。
【００９３】
また、本実施形態に係る浴室では、壁３が載置される前に、乾式目地２５が洗い場床２または壁３に固定され、乾式目地２６が浴槽１または壁３に固定されるものである。このような構成によれば、乾式目地２５および２６を、浴室の組み立て前にあらかじめ取り付けておくことが可能である。乾式目地２５および２６を、浴槽１、洗い場床２、壁３の製造現場で取り付けておくことで、施工現場で施工者が乾式目地を取り付ける必要がなくなる。このため、乾式目地の取り付けを施工業者の手に委ねる必要が無く、乾式目地が外れやすい状態で施工されてしまったり、乾式目地の取り付け位置のずれによって漏水してしまうなどの課題の発生を抑制することが可能となる。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室が備える各要素の形状、寸法、材質、配置などや設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
１ 浴槽、  ２ 洗い場床、  ３ 壁、  ５ 排水管、  ６ 支持脚、  ７ 蓋、  ９ バスエプロン、  ２０ 床基材、  ２１ 床面材、  ２２ 支持材、  ２３ 表皮材、  ２３Ｓ 側面、  ２５、２６ 乾式目地、  ２５ａ、２６ａ 傾斜部、  ２７ ガイドピース、  ２８、２９ 接着剤、  ３１〜３７ 壁パネル、  ５０ 壁面接続部材、  ５０Ａ、５０Ｂ 壁面接続部材、  ５１ 壁面固定部材、  １００ 浴室、  ２０１ クッション材、  ２０２ 表皮材、  ２２１ 蓋、  ２３１ 支持脚、  ２５１、２６１ 第１端部、  ２５２、２６２ 第２端部、  ３１０ 母材、  ３１１、３２１ 鋼板、  ３６０ 母材、  ３６１ 裏板、  ＣＫ１、ＣＫ２ コーキング材、  ＤＲ ドア、  Ｍ マスキングテープ、  ＰＫ１、ＰＫ２ パッキン、  Ｓ 浴室設置面、  Ｓ１、Ｓ２ 側面、  Ｔ 両面テープ
【図１】
0006780236.tif 000002
【図２】
0006780236.tif 000003
【図３】
0006780236.tif 000004
【図４】
0006780236.tif 000005
【図５】
0006780236.tif 000006
【図６】
0006780236.tif 000007
【図７】
0006780236.tif 000008
【図８】
0006780236.tif 000009
【図９】
0006780236.tif 000010
【図１０】
0006780236.tif 000011
【図１１】
0006780236.tif 000012
【図１２】
0006780236.tif 000013
【図１３】
0006780236.tif 000014
【図１４】
0006780236.tif 000015
【図１５】
0006780236.tif 000016
【図１６】
0006780236.tif 000017
【図１７】
0006780236.tif 000018
【図１８】
0006780236.tif 000019
【図１９】
0006780236.tif 000020
【図２０】
0006780236.tif 000021
【図２１】
0006780236.tif 000022